【手続補正書】
【提出日】平成18年3月1日(2006.3.1)
【手続補正１】
【補正対象書類名】明細書
【補正対象項目名】特許請求の範囲
【補正方法】変更
【補正の内容】
【特許請求の範囲】
【請求項１】  入力された画像情報を投射対象に投射するための第１の投射手段と、
少なくとも、前記投射対象に投射された画像の所定の部分を指示するための指示デバイスと、
前記指示デバイスにより指示されている前記画像を認識する認識手段と、
前記認識手段により認識された画像の所定の位置の座標を基準座標として認識するとともに、前記認識手段により認識された画像情報から前記指示デバイスにより指示された部分の位置を前記基準座標に基づいて検出する第１の指示位置検出手段と、
前記指示デバイスにより、少なくとも指示された部分の位置に基づいて、前記画像情報を修正する画像修正手段と、を備え、
前記第１の投射手段は、少なくとも、前記第１の指示位置検出手段により検出された、前記指示デバイスにより指示された部分の位置に基づいて、修正された画像を投射する、プロジェクタシステム。
【請求項２】  入力された画像情報を投射対象に投射するための第１の投射手段と、
少なくとも、前記投射対象に投射された画像の所定の部分を指示するための複数の指示デバイスと、
前記複数の指示デバイスからの要求を受けて、前記指示デバイスの優先使用権を承認し、優先使用権が設定されている前記指示デバイスの要求のみを受け付ける制御手段と、
優先使用権が設定された前記指示デバイスにより指示されている前記画像を認識する認識手段と、
前記認識手段により認識された画像情報から前記指示デバイスにより指示された部分の位置を検出する第１の指示位置検出手段と、
前記指示デバイスにより、少なくとも指示された部分の位置に基づいて、前記画像情報を修正する画像修正手段と、を備え、
前記第１の投射手段は、少なくとも、前記第１の指示位置検出手段により検出された、前記指示デバイスにより指示された部分の位置に基づいて、修正された画像を投射する、プロジェクタシステム。
【請求項３】 前記認識手段は、前記指示デバイスにより指示されている状態の前記画像を撮像する撮像手段である、請求項１に記載のプロジェクタシステム。
【請求項４】  前記指示デバイスは、修正されるべき画像を特定する、請求項１または３に記載のプロジェクタシステム。
【請求項５】 前記画像修正手段は、前記第１の指示位置検出手段により検出された位置に基づいて修正されるべき画像を特定する、請求項１、３、及び４のいずれかに記載のプロジェクタシステム。
【請求項６】  前記指示デバイスは、レーザー照射手段を有し、
前記第１の指示位置検出手段は、前記画像のうち前記レーザー照射手段により照射されている部分の位置を、前記画像の輝度から検出する、請求項１、３〜５のいずれかに記載のプロジェクタシステム。
【請求項７】 前記第１の投射手段は、投射すべき画像情報を記録する第１の記憶手段を有し、
前記撮像手段は、前記撮像した画像を格納するための第２の記憶手段を有し、前記撮像手段は、第１の所定のタイミングで前記投射対象に投射されている画像である第２の画像を撮像して、前記第２の記憶手段に格納し、
前記第１の指示位置検出手段は、前記第１の記憶手段から、前記第１の所定のタイミングに前記投射対象に投射すべき画像である第１の画像を選択し、前記第１の画像の画像信号から前記第２の画像の画像信号を引くことにより、前記指示デバイスにより指示されている位置を検出する、請求項１、３〜６のいずれかに記載のプロジェクタシステム。
【請求項８】  前記指示デバイスは、前記第１の所定のタイミングにおける外部操作により、所定のトリガ信号を発信するための送信手段を有し、
前記第１の指示位置検出手段は、前記指示デバイスから前記所定のトリガ信号を送信されたとき、前記所定のトリガ信号を受信することにより前記第１の所定のタイミングを特定する、請求項７に記載のプロジェクタシステム。
【請求項９】  前記指示デバイスは、前記第１の所定のタイミングにおける外部操作により、前記レーザー照射手段により照射されるべきレーザー光を所定のパルスに変調するパルス変調手段を有し、
前記撮像手段は、前記パルス変調されたレーザー光の画像を復調する復調手段を有し、
前記第１の投射手段は、前記第１の指示位置検出手段により検出された位置および前記復調手段により検出された信号、または前記復調手段により検出された信号、に基づいて前記投射対象に画像を表示させる、請求項７に記載のプロジェクタシステム。
【請求項１０】  前記指示デバイスは、レーザー照射手段と半押しおよび全押し可能な押しボタンとを有し、前記押しボタンが半押しのとき前記レーザー照射手段はレーザー光を照射し、前記押しボタンが全押しとなるタイミングを前記第１の所定のタイミングとする請求項７〜９のいずれかに記載のプロジェクタシステム。
【請求項１１】  前記撮像手段は、第２の所定のタイミングで前記投射対象に投射されている画像である第３の画像を撮像し、
前記第１の指示位置検出手段は、前記撮像された前記第３の画像を輝度により選別することにより、所定の輝度以上の画像信号から構成される第４の画像を生成し、前記第４の画像のうち最も輝度が高い部分の位置から、前記指示デバイスにより指示されている位置を検出する、請求項１、３〜６のいずれかに記載のプロジェクタシステム。
【請求項１２】  前記第１の投射手段は、前記第１の指示位置検出手段により検出された位置の画像を拡大または縮小して前記投射対象に投射させる、請求項１、３〜１１のいずれかに記載のプロジェクタシステム。
【請求項１３】  前記画像情報には、所定の操作を指示するための操作表示領域が含まれ、前記指示デバイスにより前記操作表示領域が指示されている場合は、前記第１の投射手段は、前記所定の操作に対応する画像を前記投射対象に投射する、請求項１、３〜１２のいずれかに記載のプロジェクタシステム。
【請求項１４】  前記第１の投射手段は、前記投射対象に画像を投射するごとに前記画像が表示されるべき位置が較正される、請求項１、３〜１３のいずれかに記載のプロジェクタシステム。
【請求項１５】  入力された画像情報を投射対象に投射するための第１の投射手段と、
少なくとも、前記投射対象に投射された画像の所定の部分を指示するための指示デバイスと、
前記指示デバイスにより指示されている前記画像を認識する認識手段と、
前記認識手段により認識された画像の所定の位置の座標を基準座標として認識するとともに、前記認識手段により認識された画像情報から前記指示デバイスにより指示された部分の位置を前記基準座標に基づいて検出する第１の指示位置検出手段と、
前記指示デバイスにより、少なくとも指示された部分の位置に基づいて、前記画像情報を修正する画像修正手段と、を備えるプロジェクタシステムを使用した画像投射方法であって、
前記第１の投射手段は、少なくとも、前記第１の指示位置検出手段により検出された、前記指示デバイスにより指示された部分の位置に基づいて、修正された画像を投射する、画像投射方法。
【請求項１６】  入力された画像情報を投射対象に投射するための第１の投射手段と、
少なくとも、前記投射対象に投射された画像の所定の部分を指示するための複数の指示デバイスと、
前記複数の指示デバイスからの要求を受けて、前記指示デバイスの優先使用権を承認し、優先使用権が設定されている前記指示デバイスの要求のみを受け付ける制御手段と、
優先権が設定された前記指示デバイスにより指示されている前記画像を認識する認識手段と、
前記認識手段により認識された画像情報から前記指示デバイスにより指示された部分の位置を検出する第１の指示位置検出手段と、
前記指示デバイスにより、少なくとも指示された部分の位置に基づいて、前記画像情報を修正する画像修正手段と、を備えるプロジェクタシステムを使用した画像投射方法であって、
前記第１の投射手段は、少なくとも、前記第１の指示位置検出手段により検出された、前記指示デバイスにより指示された部分の位置に基づいて、修正された画像を投射する、画像投射方法。
【請求項１７】  入力された画像情報を投射対象に投射するための第１の投射手段と、
少なくとも、前記投射対象に投射された画像の所定の部分を指示するための指示デバイスにより指示されている前記画像を認識する認識手段と、
前記認識手段により認識された画像の所定の位置の座標を基準座標として認識するとともに、前記認識手段により認識された画像情報から前記指示デバイスにより指示された部分の位置を前記基準座標に基づいて検出する第１の指示位置検出手段と、
前記指示デバイスにより、少なくとも指示された部分の位置に基づいて、前記画像情報を修正する画像修正手段と、を備え、
前記第１の投射手段は、少なくとも、前記第１の指示位置検出手段により検出された、前記指示デバイスにより指示された部分の位置に基づいて、修正された画像を投射する、プロジェクタ装置。
【請求項１８】  入力された画像情報を投射対象に投射するための第１の投射手段と、
少なくとも、前記投射対象に投射された画像の所定の部分を指示するための複数の指示デバイスからの要求を受けて、前記指示デバイスの優先使用権を承認し、優先使用権が設定されている前記指示デバイスの要求のみを受け付ける制御手段と、  優先使用権が設定された前記指示デバイスにより指示されている前記画像を認識する認識手段と、
前記認識手段により認識された画像情報から前記指示デバイスにより指示された部分の位置を検出する第１の指示位置検出手段と、
前記指示デバイスにより、少なくとも指示された部分の位置に基づいて、前記画像情報を修正する画像修正手段と、を備え、
前記第１の投射手段は、少なくとも、前記第１の指示位置検出手段により検出された、前記指示デバイスにより指示された部分の位置に基づいて、修正された画像を投射する、プロジェクタ装置。
【請求項１９】  請求項１に記載のプロジェクタシステムの、前記認識手段により認識された画像の所定の位置の座標を基準座標として認識するとともに、前記認識手段により認識された画像情報から前記指示デバイスにより指示された部分の位置を前記基準座標に基づいて検出する第１の指示位置検出手段としてコンピュータを機能させるためのプログラム。
【請求項２０】  請求項２に記載のプロジェクタシステムの、  前記複数の指示デバイスからの要求を受けて、前記指示デバイスの優先使用権を承認し、優先使用権が設定されている前記指示デバイスの要求のみを受け付ける制御手段と、
前記認識手段により認識された画像情報から前記指示デバイスにより指示された部分の位置を検出する第１の指示位置検出手段としてコンピュータを機能させるためのプログラム。
【請求項２１】  請求項１９または２０に記載のプログラムを記録させた記録媒体であって、コンピュータにより処理可能な記録媒体。
【手続補正２】
【補正対象書類名】明細書
【補正対象項目名】０００６
【補正方法】変更
【補正の内容】
【０００６】
【発明が解決しようとする課題】
しかしながら、このようなプロジェクタシステムによれば、発表者は、質問者から指示を受けながらレーザーポインタ１０３を動かすので、質問者が意図する箇所にレーザーポインタ１０３の光像がなかなか到達せず、使い勝手が悪かった。また、質問者の指示により画像を切り替えなければならない状況も起こり得るが、そのような場合でも、質問者の口頭の説明に頼りながら、必要な画像を切り替える操作を発表者側が行わなければならず、操作性が悪い上に、所望の画像を表示させるまでに時間がかかっていた。
【手続補正３】
【補正対象書類名】明細書
【補正対象項目名】０００９
【補正方法】変更
【補正の内容】
【０００９】  
【課題を解決するための手段】
上述した課題を解決するために、第１の本発明は、入力された画像情報を投射対象に投射するための第１の投射手段と、
少なくとも、前記投射対象に投射された画像の所定の部分を指示するための指示デバイスと、
前記指示デバイスにより指示されている前記画像を認識する認識手段と、
前記認識手段により認識された画像の所定の位置の座標を基準座標として認識するとともに、前記認識手段により認識された画像情報から前記指示デバイスにより指示された部分の位置を前記基準座標に基づいて検出する第１の指示位置検出手段と、
前記指示デバイスにより、少なくとも指示された部分の位置に基づいて、前記画像情報を修正する画像修正手段と、を備え、
前記第１の投射手段は、少なくとも、前記第１の指示位置検出手段により検出された、前記指示デバイスにより指示された部分の位置に基づいて、修正された画像を投射する、プロジェクタシステムである。
また、第２の本発明は、入力された画像情報を投射対象に投射するための第１の投射手段と、
少なくとも、前記投射対象に投射された画像の所定の部分を指示するための複数の指示デバイスと、
前記複数の指示デバイスからの要求を受けて、前記指示デバイスの優先使用権を承認し、優先使用権が設定されている前記指示デバイスの要求のみを受け付ける制御手段と、
優先使用権が設定された前記指示デバイスにより指示されている前記画像を認識する認識手段と、
前記認識手段により認識された画像情報から前記指示デバイスにより指示された部分の位置を検出する第１の指示位置検出手段と、
前記指示デバイスにより、少なくとも指示された部分の位置に基づいて、前記画像情報を修正する画像修正手段と、を備え、
前記第１の投射手段は、少なくとも、前記第１の指示位置検出手段により検出された、前記指示デバイスにより指示された部分の位置に基づいて、修正された画像を投射する、プロジェクタシステムである。
また、第３の本発明は、前記認識手段は、前記指示デバイスにより指示されている状態の前記画像を撮像する撮像手段である、第１の本発明のプロジェクタシステムである。
また、第４の本発明は、前記指示デバイスは、修正されるべき画像を特定する、第１または３の本発明のプロジェクタシステムである。
また、第５の本発明は、前記画像修正手段は、前記第１の指示位置検出手段により検出された位置に基づいて修正されるべき画像を特定する、第１、３、及び４の本発明のいずれかのプロジェクタシステムである。
また、第６の本発明は、前記指示デバイスは、レーザー照射手段を有し、
前記第１の指示位置検出手段は、前記画像のうち前記レーザー照射手段により照射されている部分の位置を、前記画像の輝度から検出する、第１、３〜５の本発明のいずれかのプロジェクタシステムである。
また、第７の本発明は、前記第１の投射手段は、投射すべき画像情報を記録する第１の記憶手段を有し、
前記撮像手段は、前記撮像した画像を格納するための第２の記憶手段を有し、前記撮像手段は、第１の所定のタイミングで前記投射対象に投射されている画像である第２の画像を撮像して、前記第２の記憶手段に格納し、
前記第１の指示位置検出手段は、前記第１の記憶手段から、前記第１の所定のタイミングに前記投射対象に投射すべき画像である第１の画像を選択し、前記第１の画像の画像信号から前記第２の画像の画像信号を引くことにより、前記指示デバイスにより指示されている位置を検出する、第１、３〜６の本発明のいずれかのプロジェクタシステムである。
また、第８の本発明は、前記指示デバイスは、前記第１の所定のタイミングにおける外部操作により、所定のトリガ信号を発信するための送信手段を有し、
前記第１の指示位置検出手段は、前記指示デバイスから前記所定のトリガ信号を送信されたとき、前記所定のトリガ信号を受信することにより前記第１の所定のタイミングを特定する、第７の本発明のプロジェクタシステムである。
また、第９の本発明は、前記指示デバイスは、前記第１の所定のタイミングにおける外部操作により、前記レーザー照射手段により照射されるべきレーザー光を所定のパルスに変調するパルス変調手段を有し、
前記撮像手段は、前記パルス変調されたレーザー光の画像を復調する復調手段を有し、
前記第１の投射手段は、前記第１の指示位置検出手段により検出された位置および前記復調手段により検出された信号、または前記復調手段により検出された信号、に基づいて前記投射対象に画像を表示させる、第７の本発明のプロジェクタシステムである。
また、第１０の本発明は、前記指示デバイスは、レーザー照射手段と半押しおよび全押し可能な押しボタンとを有し、前記押しボタンが半押しのとき前記レーザー照射手段はレーザー光を照射し、前記押しボタンが全押しとなるタイミングを前記第１の所定のタイミングとする第７〜９の本発明のいずれかのプロジェクタシステムである。
また、第１１の本発明は、前記撮像手段は、第２の所定のタイミングで前記投射対象に投射されている画像である第３の画像を撮像し、
前記第１の指示位置検出手段は、前記撮像された前記第３の画像を輝度により選別することにより、所定の輝度以上の画像信号から構成される第４の画像を生成し、前記第４の画像のうち最も輝度が高い部分の位置から、前記指示デバイスにより指示されている位置を検出する、第１、３〜６の本発明のいずれかのプロジェクタシステムである。
また、第１２の本発明は、前記第１の投射手段は、前記第１の指示位置検出手段により検出された位置の画像を拡大または縮小して前記投射対象に投射させる、第１、３〜１１の本発明のいずれかのプロジェクタシステムである。
また、第１３の本発明は、前記画像情報には、所定の操作を指示するための操作表示領域が含まれ、前記指示デバイスにより前記操作表示領域が指示されている場合は、前記第１の投射手段は、前記所定の操作に対応する画像を前記投射対象に投射する、第１、３〜１２の本発明のいずれかのプロジェクタシステムである。
また、第１４の本発明は、前記第１の投射手段は、前記投射対象に画像を投射するごとに前記画像が表示されるべき位置が較正される、第１、３〜１３の本発明のいずれかのプロジェクタシステムである。
また、第１５の本発明は、入力された画像情報を投射対象に投射するための第１の投射手段と、
少なくとも、前記投射対象に投射された画像の所定の部分を指示するための指示デバイスと、
前記指示デバイスにより指示されている前記画像を認識する認識手段と、
前記認識手段により認識された画像の所定の位置の座標を基準座標として認識するとともに、前記認識手段により認識された画像情報から前記指示デバイスにより指示された部分の位置を前記基準座標に基づいて検出する第１の指示位置検出手段と、
前記指示デバイスにより、少なくとも指示された部分の位置に基づいて、前記画像情報を修正する画像修正手段と、を備えるプロジェクタシステムを使用した画像投射方法であって、
前記第１の投射手段は、少なくとも、前記第１の指示位置検出手段により検出された、前記指示デバイスにより指示された部分の位置に基づいて、修正された画像を投射する、画像投射方法である。
また、第１６の本発明は、入力された画像情報を投射対象に投射するための第１の投射手段と、
少なくとも、前記投射対象に投射された画像の所定の部分を指示するための複数の指示デバイスと、
前記複数の指示デバイスからの要求を受けて、前記指示デバイスの優先使用権を承認し、優先使用権が設定されている前記指示デバイスの要求のみを受け付ける制御手段と、
優先権が設定された前記指示デバイスにより指示されている前記画像を認識する認識手段と、
前記認識手段により認識された画像情報から前記指示デバイスにより指示された部分の位置を検出する第１の指示位置検出手段と、
前記指示デバイスにより、少なくとも指示された部分の位置に基づいて、前記画像情報を修正する画像修正手段と、を備えるプロジェクタシステムを使用した画像投射方法であって、
前記第１の投射手段は、少なくとも、前記第１の指示位置検出手段により検出された、前記指示デバイスにより指示された部分の位置に基づいて、修正された画像を投射する、画像投射方法である。
また、第１７の本発明は、入力された画像情報を投射対象に投射するための第１の投射手段と、
少なくとも、前記投射対象に投射された画像の所定の部分を指示するための指示デバイスにより指示されている前記画像を認識する認識手段と、
前記認識手段により認識された画像の所定の位置の座標を基準座標として認識するとともに、前記認識手段により認識された画像情報から前記指示デバイスにより指示された部分の位置を前記基準座標に基づいて検出する第１の指示位置検出手段と、
前記指示デバイスにより、少なくとも指示された部分の位置に基づいて、前記画像情報を修正する画像修正手段と、を備え、
前記第１の投射手段は、少なくとも、前記第１の指示位置検出手段により検出された、前記指示デバイスにより指示された部分の位置に基づいて、修正された画像を投射する、プロジェクタ装置である。
また、第１８の本発明は、入力された画像情報を投射対象に投射するための第１の投射手段と、
少なくとも、前記投射対象に投射された画像の所定の部分を指示するための複数の指示デバイスからの要求を受けて、前記指示デバイスの優先使用権を承認し、優先使用権が設定されている前記指示デバイスの要求のみを受け付ける制御手段と、  優先使用権が設定された前記指示デバイスにより指示されている前記画像を認識する認識手段と、
前記認識手段により認識された画像情報から前記指示デバイスにより指示された部分の位置を検出する第１の指示位置検出手段と、
前記指示デバイスにより、少なくとも指示された部分の位置に基づいて、前記画像情報を修正する画像修正手段と、を備え、
前記第１の投射手段は、少なくとも、前記第１の指示位置検出手段により検出された、前記指示デバイスにより指示された部分の位置に基づいて、修正された画像を投射する、プロジェクタ装置である。
また、第１９の本発明は、第１の本発明のプロジェクタシステムの、前記認識手段により認識された画像の所定の位置の座標を基準座標として認識するとともに、前記認識手段により認識された画像情報から前記指示デバイスにより指示された部分の位置を前記基準座標に基づいて検出する第１の指示位置検出手段としてコンピュータを機能させるためのプログラムである。
また、第２０の本発明は、第２の本発明のプロジェクタシステムの、  前記複数の指示デバイスからの要求を受けて、前記指示デバイスの優先使用権を承認し、優先使用権が設定されている前記指示デバイスの要求のみを受け付ける制御手段と、
前記認識手段により認識された画像情報から前記指示デバイスにより指示された部分の位置を検出する第１の指示位置検出手段としてコンピュータを機能させるためのプログラムである。
また、第２１の本発明は、第１９または２０の本発明のプログラムを記録させた記録媒体であって、コンピュータにより処理可能な記録媒体である。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００３３
【補正方法】変更
【補正の内容】
【００３３】
図５は、レーザーポインタ３の内部構成を示すブロック図である。図５に示すように、レーザーポインタ３はその内部に、レーザー光を生成、照射するレーザー照射手段２９、レーザー照射手段２９を制御する制御回路３３、制御回路３３において生成された信号を送信し、またはプロジェクタ装置４から送信された信号を受信するための送受信回路３１、送受信回路３１に接続されたアンテナ３２を有する。送受信回路３１およびアンテナ３２は本発明の送信手段に一例として対応する。
【手続補正２０】
【補正対象書類名】明細書
【補正対象項目名】００５７
【補正方法】変更
【補正の内容】
【００５７】
送信されたトリガ信号は、実施の形態１の場合と同様の動作により、プロジェクタ回路６および検出カメラ回路７に直ちに伝達される。そして、座標位置検出回路１５により輝度点の座標が検出されると、ＣＰＵ１３は、ＧＵＩ表示領域２４の前頁マーク上に上記検出された座標が位置することを認識する。そして、ＣＰＵ１３は、メモリ２６に蓄積された画像情報から、前頁の画像情報をプロジェクタ２６に出力させ、プロジェクタ回路６は、映像入力端子１４から入力された映像情報の代わりに上記前頁の画像情報を、上記ＧＵＩ表示領域２４と合成させて、投射レンズ２を介してスクリーン１上に投射させる。
【手続補正２１】
【補正対象書類名】明細書
【補正対象項目名】００６５
【補正方法】変更
【補正の内容】
【００６５】
一方、スクリーン１上に投射されて画像は、検出レンズ５を介して検出カメラ回路７に入力される。このとき、聴衆者は、レーザーポインタ３を操作して、画像の所望の位置にレーザーポインタ３から照射されるレーザー光により作成される輝度点を移動させる。移動させたい箇所が確定したときは、聴衆者は、レーザー発光押しボタン１７を全押し状態とする。このとき、レーザーポインタ３からは、トリガ信号が生成されて送信される。レーザー発光押しボタン１７を全押しにするタイミングは、本発明の第２の所定のタイミングに一例として対応する。
【手続補正２２】
【補正対象書類名】明細書
【補正対象項目名】０１１８
【補正方法】変更
【補正の内容】
【０１１８】
なお、以上説明した様に、本発明の構成は、ソフトウェア的に実現してもよいし、ハードウェア的に実現してもよい。
なお、上述したように、第１発明は、入力された画像情報を投射対象（１）に投射するための第１の投射手段（２、６，１１，１２、１４）と、
少なくとも、前記投射対象（１）に投射された画像の所定の部分を指示するための指示デバイス（３、３０、４０）と、
前記指示デバイス（３、３０、４０）により指示されている前記画像を認識する認識手段（５、７、８、９）と、
前記認識手段（５、７、８、９）により認識された画像情報から前記指示デバイス（３、３０、４０）により指示された部分の位置を検出する第１の指示位置検出手段（１０、１３、１５）と、
前記指示デバイス（３、３０、４０）により、少なくとも指示された部分の位置に基づいて、前記画像情報を修正する画像修正手段（２３、２５）と、を備え、
前記第１の投射手段（２、６，１１，１２、１４）は、少なくとも、前記第１の指示位置検出手段（１０、１３、１５）により検出された、前記指示デバイス（３、３０、４０）により指示された部分の位置に基づいて、修正された画像を投射する、プロジェクタシステムである。
また、第２発明は、前記認識手段（５、７、８、９）は、前記指示デバイス（３、３０、４０）により指示されている状態の前記画像を撮像する撮像手段（７、８、９、２７）である、第１発明のプロジェクタシステムである。
また、第３発明は、前記指示デバイス（３、３０、４０）は、修正されるべき画像を特定する、第１または２発明のプロジェクタシステムである。
また、第４発明は、前記画像修正手段（２３、２５）は、前記第１の指示位置検出手段（１０、１３、１５）により検出された位置に基づいて修正されるべき画像を特定する、第１から３発明のいずれかのプロジェクタシステムである。
また、第５発明は、前記指示デバイス（３、３０、４０）は、レーザー照射手段（２９）を有し、
前記第１の指示位置検出手段（１０、１３、１５）は、前記画像のうち前記レーザー照射手段（２９）により照射されている部分の位置を、前記画像の輝度から検出する、第１〜４発明のいずれかのプロジェクタシステムである。
また、第６発明は、前記第１の投射手段（２、６，１１，１２、１４）は、投射すべき画像情報を記録する第１の記憶手段（１１）を有し、
前記撮像手段（７、８、９、２７）は、前記撮像した画像を格納するための第２の記憶手段（９）を有し、前記撮像手段（７、８、９、２７）は、第１の所定のタイミングで前記投射対象（１）に投射されている画像である第２の画像を撮像して、前記第２の記憶手段（９）に格納し、
前記第１の指示位置検出手段（１０、１３、１５）は、前記第１の記憶手段（１１）から、前記第１の所定のタイミングに前記投射対象（１）に投射すべき画像である第１の画像を選択し、前記第１の画像の画像信号から前記第２の画像の画像信号を引くことにより、前記指示デバイス（３、３０、４０）により指示されている位置を検出する、第１〜５発明のいずれかのプロジェクタシステムである。
また、第７発明は、前記指示デバイス（３、３０、４０）は、前記第１の所定のタイミングにおける外部操作により、所定のトリガ信号を発信するための送信手段（３１、３２）を有し、
前記第１の指示位置検出手段（１０、１３、１５）は、前記指示デバイス（３、３０、４０）から前記所定のトリガ信号を送信されたとき、前記所定のトリガ信号を受信することにより前記第１の所定のタイミングを特定する、第６発明のプロジェクタシステムである。
また、第８発明は、前記指示デバイス（３、３０、４０）は、前記第１の所定のタイミングにおける外部操作により、前記レーザー照射手段（２９）により照射されるべきレーザー光を所定のパルスに変調するパルス変調手段を有し、
前記撮像手段（７、８、９）は、前記パルス変調されたレーザー光の画像を復調する復調手段を有し、
前記第１の投射手段（２、６，１１，１２、１４）は、前記第１の指示位置検出手段（１０、１３、１５）により検出された位置および前記復調手段により検出された信号、または前記復調手段により検出された信号、に基づいて前記投射対象（１）に画像を表示させる、第６発明のプロジェクタシステムである。
また、第９発明は、前記撮像手段（７、８、９、２７）は、第２の所定のタイミングで前記投射対象（１）に投射されている画像である第３の画像を撮像し、
前記第１の指示位置検出手段（１０、１３、１５）は、前記撮像された前記第３の画像を輝度により選別することにより、所定の輝度以上の画像信号から構成される第４の画像を生成し、前記第４の画像のうち最も輝度が高い部分の位置から、前記指示デバイス（３、３０、４０）により指示されている位置を検出する、第１〜５発明のいずれかのプロジェクタシステムである。
また、第１０発明は、前記第１の投射手段（２、６，１１，１２、１４）は、前記第１の指示位置検出手段（１０、１３、１５）により検出された位置の画像を拡大または縮小して前記投射対象（１）に投射させる、第１〜９発明のいずれかのプロジェクタシステムである。
また、第１１発明は、前記画像情報には、所定の操作を指示するための操作表示領域が含まれ、前記指示デバイス（３、３０、４０）により前記操作表示領域が指示されている場合は、前記第１の投射手段（２、６，１１，１２、１４）は、前記所定の操作に対応する画像を前記投射対象（１）に投射する、第１〜１０発明のいずれかのプロジェクタシステムである。
また、第１２発明は、前記第１の投射手段（２、６，１１，１２、１４）は、前記投射対象（１）に画像を投射するごとに前記画像が表示されるべき位置が較正される、第１〜１１発明のいずれかのプロジェクタシステムである。
また、第１３発明は、入力された画像情報を投射対象（１）に投射するための第１の投射手段（２、６，１１，１２、１４）と、
少なくとも、前記投射対象（１）に投射された画像の所定の部分を指示するための指示デバイス（３、３０、４０）と、
前記指示デバイス（３、３０、４０）により指示されている前記画像を認識する認識手段（５、７、８、９）と、
前記認識手段（５、７、８、９）により認識された画像情報から前記指示デバイス（３、３０、４０）により指示された部分の位置を検出する第１の指示位置検出手段（１０、１３、１５）と、
前記指示デバイス（３、３０、４０）により、少なくとも指示された部分の位置に基づいて、前記画像情報を修正する画像修正手段（２３、２５）と、を備えるプロジェクタシステムを使用した画像投射方法であって、
前記第１の投射手段（２、６，１１，１２、１４）は、少なくとも、前記第１の指示位置検出手段（１０、１３、１５）により検出された、前記指示デバイス（３、３０、４０）により指示された部分の位置に基づいて、修正された画像を投射する、画像投射方法である。
また、第１４発明は、入力された画像情報を投射対象（１）に投射するための第１の投射手段（２、６，１１，１２、１４）と、
少なくとも、前記投射対象（１）に投射された画像の所定の部分を指示するための指示デバイス（３、３０、４０）により指示されている前記画像を認識する認識手段（５、７、８、９）と、
前記認識手段（５、７、８、９）により認識された画像情報から前記指示デバイス（３、３０、４０）により指示された部分の位置を検出する第１の指示位置検出手段（１０、１３、１５）と、
前記指示デバイス（３、３０、４０）により、少なくとも指示された部分の位置に基づいて、前記画像情報を修正する画像修正手段（２３、２５）と、を備え、
前記第１の投射手段（２、６，１１，１２、１４）は、少なくとも、前記第１の指示位置検出手段（１０、１３、１５）により検出された、前記指示デバイス（３、３０、４０）により指示された部分の位置に基づいて、修正された画像を投射する、プロジェクタ装置である。
また、第１５発明は、第１発明のプロジェクタシステムにおいて、
前記撮像手段（７、８、９、２７）により撮像された画像情報から前記指示デバイス（３、３０、４０）により指示された部分の位置を検出する第１の指示位置検出手段（１０、１３、１５）を、コンピュータとして機能させるためのプログラムである。
また、第１６発明は、第１５発明のプログラムを担持させた記録媒体であって、コンピュータにより処理可能な記録媒体である。